(57)【要約】【課題】圃場には排水のために暗渠パイプを埋設している。パイプ内部に土砂やスライムなどの堆積物が滞留しパイプ内を閉塞してしまう。暗渠パイプが閉塞すると、内部の堆積物を取り除く作業を行わなければならないが堆積物除去装置の使用が煩雑であった。閉塞した暗渠パイプは放置されて無用の長物化としているのが現状である。【解決手段】ガイドワイヤの中途に暗渠パイプ本体中を挿貫可能としたブラシ体を介在配設するとともに、ガイドワイヤは暗渠パイプ本体の両端開口部である取水口と吐水口との間の暗渠パイプ本体内部から外部にわたって無端状に架け廻して構成し、暗渠パイプ本体内部に土砂やスライムなどの堆積物が詰まったと思われる時期にガイドワイヤを引張り操作して介在したブラシ体を暗渠パイプ本体中で摺動させて内部を清掃し吐水口から堆積物である詰り物を排出可能にしてなる。【選択図】図１
2019198814.tif 000002
【特許請求の範囲】
【請求項１】
可撓性のガイドワイヤの中途に暗渠パイプ本体中を挿貫可能としたブラシ体を介在配設するとともに、ガイドワイヤは暗渠パイプ本体の両端開口部である取水口と吐水口との間の暗渠パイプ本体内部から外部わたって無端状に架け廻して構成することにより、暗渠パイプ本体内部に土砂やスライムなどの堆積物が詰まったと思われる時期にガイドワイヤを引張り操作して介在したブラシ体を暗渠パイプ本体中で摺動させて内部を清掃し吐水口から堆積物である詰り物を排出可能に構成してなる暗渠パイプの清掃具。
【請求項２】
請求項１に記載の清掃具を備えた暗渠パイプの前記吐水口において、全方位変換自在の水閘パイプによる水閘構造を構成し、
前記水閘パイプは、前記暗渠パイプに始端開口を回転ジョイント機構を介して回動自在に連通分岐したＴ字パイプと、前記Ｔ字パイプの中途部で分岐するＴ字脚部パイプに始端開口を回転ジョイント機構を介して回動自在に連通したエルボパイプと、前記エルボパイプの終端開口に連通した立上げパイプと、より構成したことを特徴とする暗渠パイプの水閘構造。
【請求項３】
前記回転ジョイント機構は、両パイプ端部において雌雄のはめ込み回転構造としたことを特徴とする請求項２に記載の暗渠パイプの水閘構造。
【発明の詳細な説明】
【技術分野】
【０００１】
この発明は、田畑の圃場に埋設される暗渠排水設備において、簡便に暗渠パイプ本体内部の清掃を可能とし、暗渠パイプ本体の詰まりで生起する農作業の各種トラブルを解消できるようにした暗渠パイプの清掃具、及び同清掃具を備えた暗渠パイプの水閘構造に関する。
【背景技術】
【０００２】
従来より、水田や田畑の圃場地中に埋設した暗渠パイプにより圃場の暗渠排水による水管理が行われている。
【０００３】
暗渠排水とは、圃場内の野山レベルの圃場に面した位置に設けた取水口と、排水路に位置するように設けた吐水口とを両端部に有した有孔の暗渠パイプ本体を圃場土中に埋設して、圃場内の土壌中及び水田面の水を有孔の暗渠パイプを介して排水調節することにより圃場を必要なときに乾田化する圃場水分の排水方法である。
【０００４】
圃場へ供給された水は圃場土壌内に浸透した浸透水となったり圃場の地上面上方に張られた湛水となり、かかる浸透水や湛水は農作物の根から各種養分や酸素とともに吸収される一方で農作物の代謝産物や土壌と水との反応物といった副産物を溶解させて農作物に成長被害を及ぼす有害水となることが知られている。
【０００５】
従って、農作物の健全な生育や多収量を実現するためには、各種養分や酸素を豊富に含んだ新鮮な水の圃場への給水を行うとともに停滞する有害水の排水を行う「水管理」を適宜実施することが必要である。
【０００６】
かかる「水管理」は、具体的には（１）圃場内の土壌面より上方に水を張って一定の水位に保持する湛水灌漑状態における湛水水位、（２）圃場内の土壌中で一定の水位に保持する地下灌漑状態における地下水位、（３）圃場内の水を抜いて中干状態や落水状態にする排水水位、など農作物の生育段階に合わせた各種灌漑水位に調節することで行われる。
【０００７】
このような「水管理」を行うために地中に埋設した暗渠パイプの吐水口側の端部内に上下動する止水栓を設けて水閘を構成し、同水閘の開閉操作を行うことによって所望とする灌漑水位に対応した調節作業を行うことが奨励されている（例えば、特許文献１参照。）。
【０００８】
しかしながら、暗渠パイプは、数10メートルから数100メートルの長尺パイプであるためにパイプ内部に圃場土砂や土壌中の鉄分の酸化物（スライム）などの堆積物を滞留させて詰まりを起こしたりパイプ内水径を徐々に閉塞したりして圃場の水捌けを悪化させ、結果、暗渠パイプによる「水管理」を適切に行うことができない問題があった。
【０００９】
従って、堆積物により閉塞状態にある暗渠パイプ内の清掃作業を行うべく、先端に噴射ノズルを備えたホースを暗渠パイプ内に挿入し、同噴射ノズルから水や洗剤液などの洗浄液を高圧で噴射してパイプ内部の清掃を行う清掃具が提案されている（例えば、特許文献２参照。）。
【先行技術文献】
【特許文献】
【００１０】
【特許文献１】特開２００７−４００５８号公報
【特許文献２】特開２０００−１７６３９号公報
【発明の概要】
【発明が解決しようとする課題】
【００１１】
しかしながら、上記従来の清掃具は噴射ノズルから洗浄液を高圧噴射するためのポンプやコンプレッサー、また、これらを稼働するための発電機など大型設備が必須となり、同大型設備をパイプ清掃作業にあたる農作業者が圃場へ運搬しなければならない。
【００１２】
すなわち、従来の清掃具は農作業者にとって清掃コストや労働負荷を大とし、従って実際には暗渠パイプ内の清掃は殆んど行われず、最終的には堆積物で閉塞状態にある暗渠パイプはそのまま放置されて無用の長物と化しているのが現状である。
【００１３】
また、従来の止水栓による水閘は、専ら排水を目的とした排水量を調節するものであり農作物の生育段階にあわせた水位調節制御を行えるものではない。
【００１４】
仮に止水栓により所望とする灌漑水位への調節作業を行おうとすれば、目視で止水栓の開閉度合いを確認することはできない。
【００１５】
従って、季節、天候、気温、湿度、圃場への給水量や湛水量といった諸条件を加味した上で、圃場内の水分量が農作物に適切となるように排水量を都度決定するなど、農作業者の経験や勘に依存して止水栓の開閉作業を行うこととなる。
【００１６】
その結果、適切な灌漑水位への調節作業負担を大きくするばかりか微妙な水位調節作業を誰でも手軽に行えず、暗渠パイプによる「水管理」の機会、すなわち「暗渠パイプの使用機会」を減らして暗渠パイプを無用の長物化とすることを助長させていた。
【００１７】
本発明は、斯かる事情に鑑みてなされたものであって、暗渠パイプを無用の長物化とすることなく有効活用するため、農作業者が必要と察知した時期にいつでも簡便に暗渠パイプ内部を清掃できる簡単な構造の暗渠パイプの清掃具と、同清掃具を備えた暗渠パイプにおいて灌漑水位の微妙な調節作業を簡便操作で行うことができる簡単な水閘構造を提供する。
【課題を解決するための手段】
【００１８】
上記従来の課題を解決するために、本発明に係る暗渠パイプの清掃具は、可撓性のガイドワイヤの中途に暗渠パイプ本体中を挿貫可能としたブラシ体を介在配設するとともに、ガイドワイヤは暗渠パイプ本体の両端開口部である取水口と吐水口との間の暗渠パイプ本体内部から外部わたって無端状に架け廻して構成することにより、暗渠パイプ本体内部に土砂やスライムなどの堆積物が詰まったと思われる時期にガイドワイヤを引張り操作して介在したブラシ体を暗渠パイプ本体中で摺動させて内部を清掃し吐水口から堆積物の詰り物を排出可能に構成したことに特徴を有する。
【００１９】
また、本発明にかかる清掃具を備えた暗渠パイプの前記吐水口において全方位変換自在の水閘パイプによる水閘構造を構成し、前記水閘パイプは、前記暗渠パイプに始端開口を回転ジョイント機構を介して回動自在に連通分岐したＴ字パイプと、前記Ｔ字パイプの中途部で分岐するＴ字脚部パイプに始端開口を回転ジョイント機構を介して回動自在に連通したエルボパイプと、前記エルボパイプの終端開口に連通した立上げパイプと、より構成したことにも特徴を有する。
【００２０】
また、暗渠パイプの水閘構造において、前記回転ジョイント機構は、両パイプ端部において雌雄のはめ込み回転構造としたことにも特徴を有する。
【発明の効果】
【００２１】
請求項１に係る発明によれば、可撓性のガイドワイヤの中途に暗渠パイプ本体中を挿貫可能なブラシ体を介在配設するとともに、ガイドワイヤは取水口と吐水口とを両端に形成した暗渠パイプ本体内部から外部にわたって無端状に架け廻して構成したことにより、暗渠パイプ本体内部に土砂やスライムなどの堆積物が詰まったと思われる時期にガイドワイヤを引張り操作して中途に介在したブラシ体を暗渠パイプ本体中で摺動させて内部を清掃し吐水口から堆積物を排出し、暗渠パイプ本体内部の水流を正常に行うようにすることができ、農作業者が必要を察知した時期にいつでもガイドワイヤの引張り操作を行うことにより簡便に暗渠パイプ本体内部の清掃を可能とし、暗渠パイプ本体の詰まりで生起する農作業の各種トラブルを解消できる効果がある。
【００２２】
また、請求項２に係る発明によれば、請求項１に記載の清掃具を備えた暗渠パイプの前記吐水口において全方位変換自在の水閘パイプによる水閘構造を構成し、前記水閘パイプは、前記暗渠パイプに始端開口を回転ジョイント機構を介して回動自在に連通分岐したＴ字パイプと、前記Ｔ字パイプの中途部で分岐するＴ字脚部パイプに始端開口を回転ジョイント機構を介して回動自在に連通したエルボパイプと、前記エルボパイプの終端開口に連通した立上げパイプと、より構成したため、水閘パイプによる吐水口の方向変換作業を行うことにより、所望の時期に微妙な灌漑水位への調節作業を農作業者の経験の多寡によらず誰でも簡単に行うことができ、暗渠パイプを継続的に有効活用した水管理を行うことができるとともにパイプ内部の堆積物を定期的に排出させて無用の長物化とすることを未然に防止できる効果がある。
【００２３】
また、請求項３に係る発明によれば、前記回転ジョイント機構は、両パイプ端部において雌雄のはめ込み回転構造としたため、暗渠パイプの端部に水閘パイプを簡単に設置することができ、同水閘パイプを構成する各種パイプを、筒軸周りの回転方向にそれぞれ可動させて吐水口の方向を全方位変換自在にすることができるとともに各パイプの筒軸方向には不動状態にして各パイプ同士が不用意な排水や暗渠パイプ内の堆積物の排圧により外れることを防止でき、暗渠排水を確実に実現できる効果がある。
【図面の簡単な説明】
【００２４】
【図１】本発明の暗渠パイプの清掃具及び水閘構造の構成を示す全体模式図である。
【図２】本発明の暗渠パイプの構成を示す外観斜視図である。
【図３】本発明の暗渠パイプの清掃具及び水閘構造を備えた暗渠パイプの側断面図である。
【図４】本発明の暗渠パイプの清掃具の構成を示す外観斜視図である。
【図５】本発明のワイヤ解舒リールの構成を示す外観図斜視図である。
【図６】本発明のワイヤ解舒リールの構成を示す外観図斜視図である。
【図７】本発明の水閘構造の構成を示す外観斜視図である。
【図８】本発明の水閘構造の構成を示す外観斜視図である。
【図９】本発明の水閘構造の構成を示す分解側断面図である。
【図１０】本発明の水閘構造の構成を示す側断面図である。
【図１１】本発明の水閘パイプの方向変換形態を示す模式図である。
【図１２】本発明の水閘パイプの方向変換形態を示す模式図である。
【図１３】本発明の水閘パイプの方向変換形態を示す模式図である。
【発明を実施するための形態】
【００２５】
この発明の要旨は、可撓性のガイドワイヤの中途に暗渠パイプ本体中を挿貫可能としたブラシ体を介在配設するとともに、ガイドワイヤは暗渠パイプ本体の両端開口部である取水口と吐水口との間の暗渠パイプ本体内部から暗渠パイプの外部わたって無端状に架け廻して構成することにより、暗渠パイプ本体内部に土砂やスライムなどの堆積物が詰まったと思われる時期にガイドワイヤを引張り操作して介在したブラシ体を暗渠パイプ本体中で摺動させて内部を清掃し吐水口から堆積物である詰り物を排出可能に構成してなる暗渠パイプの清掃具を提供することにある。
【００２６】
また、清掃具を備えた暗渠パイプの前記吐水口において、全方位変換自在の水閘パイプによる水閘構造を構成し、前記水閘パイプは、前記暗渠パイプに始端開口を回転ジョイント機構を介して回動自在に連通分岐したＴ字パイプと、前記Ｔ字パイプの中途部で分岐するＴ字脚部パイプに始端開口を回転ジョイント機構を介して回動自在に連通したエルボパイプと、前記エルボパイプの終端開口に連通した立上げパイプと、より構成したことを特徴とする暗渠パイプの水閘構造を提供する。
【００２７】
また、前記回転ジョイント機構は、両パイプ端部において雌雄のはめ込み回転構造としたことを特徴とする暗渠パイプの水閘構造についても提供する。
【００２８】
上述のように本発明にかかる全方位変換自在の水閘構造により、暗渠パイプを有効に使って圃場の各種灌漑水位操作を簡単且つ最適に実現できる。
【００２９】
このように灌漑水位の調節操作をすることは、農作物の生育や収穫量に大きな影響を及ぼすということが最近見直されてきている。
【００３０】
そのためには暗渠パイプを有効に用いなければならないが、前述した課題にあるように、実際の暗渠パイプは土砂やスライムなどの堆積物によりパイプ詰りで殆ど使用されず無用の埋設物化している。
【００３１】
すなわち、暗渠パイプの有効利用化のためには目詰り除去の清掃が絶対的に必要となり、そのために本発明にかかる暗渠パイプの清掃具では「ブラシ」の無端状紐によって簡便に且つ安価にパイプ内清掃を可能に構成した。
【００３２】
すなわち、本発明にかかる暗渠パイプの清掃具は、灌漑水位調整のために暗渠パイプを有効に使うための必須の技術であり、将来の農作物育成を大きく転換するターニングポイントともなる画期的技術である。
【００３３】
以下、本発明に係る暗渠パイプの清掃具及び暗渠パイプの水閘構造について説明する。図１は暗渠パイプの清掃具及び水閘構造の構成を示す全体模式図、図２は暗渠パイプの構成を示す外観斜視図、図３は暗渠パイプの清掃具及び水閘構造を備えた暗渠パイプの側断面図、図４は暗渠パイプの清掃具の構成を示す外観斜視図、図５及び図６はガイドワイヤの解舒性を向上せたワイヤ解舒リールの構成を示す説明図、図７及び図８は水閘構造の構成を示す外観斜視図、図９及び図１０は水閘構造の構成を示す側断面図、図１１乃至図１３は水閘パイプの方向変換形態を示す模式図である。
【００３４】
〔１．暗渠パイプの基本的構成〕
まず、本発明に係る暗渠パイプの清掃具及び水閘構造を設置する暗渠パイプの基本的構成について説明する。暗渠パイプＰは、図１に示すように、圃場Ｆ直下に埋設され、両端開口を外部に露出させるように水田の圃場Ｆ直下に埋設した略Ｌ字状の筒体である。
【００３５】
暗渠パイプＰは、暗渠パイプＰのＬ字形状の暗渠パイプ本体１０と、暗渠パイプ本体１０の上流側端部から上方に伸延し、圃場Ｆの側壁部に埋設或いは圃場Ｆの壁面に沿う筒状のブラシ収納部１５と、で構成している。
【００３６】
暗渠パイプ本体１０は、図２及び図３に示すように一端に吐水口Ｓ２を有した長尺の水平部１１と、水平部１１に湾曲形成した屈曲部１２を介して連通して立ち上がり、他端に取水口Ｓ１を有した短尺の起立部１３と、で構成している。
【００３７】
屈曲部１２は、Ｌ字管であって水平部１１と起立部１３とによりなす曲げ角度αを鈍角となるように屈曲形成しており、後述するブラシ体２１を導通可能としている。本実施形態では、曲げ角度αを約100°〜150°（水平部１１と起立部１３との外角が１０°〜６０°）となるようにしている。
【００３８】
水平部１１上壁には圃場土壌の浸透水をパイプ内へ導通させる導水孔１１ａを、水平部１１の長手方向に沿って所定間隔を隔てて複数穿設している。
【００３９】
起立部１３の端部は、図２及び図３に示すように、Ｔ字状の取水管１４で構成している。
【００４０】
取水管１４は、筒軸を起立部１３の筒軸と同一軸芯上に配置されて起立部１３に連通接続するＴ字本管部１４ａと、Ｔ字本管部１４ａの中途から分岐突出した分岐管部１４ｂとで構成しており、分岐管部１４ｂの端部開口を暗渠パイプＰの取水口Ｓ１としている。
【００４１】
暗渠パイプＰの取水口Ｓ１、すなわち、分岐管部１４ｂの端部開口には蓋体１６を着脱可能に設けている。
【００４２】
蓋体１６は、取水口Ｓ１を閉塞して圃場内の湛水状態の保持を可能とする一方、取水口Ｓ１から取外して取水口Ｓ１を開放することにより圃場の湛水を暗渠パイプＰ内部へ引き入れて吐水口Ｓ２から圃場内の湛水の排水を行うことを可能としている。
【００４３】
ブラシ収納部１５は、暗渠パイプ本体１０の外部に相当する部分で、暗渠パイプ本体１０において取水口Ｓ１よりも上方で取水管１４を介して暗渠パイプ本体１０と連通接続している。
【００４４】
具体的には、ブラシ収納部１５は、取水管１４のＴ字本管部１４ａの上流側端部
に、その筒軸をＴ字本管部１４ａの筒軸（起立部１３の筒軸）と同一軸芯上とするように連通接続しており、後述する清掃具Ａにより暗渠パイプＰ内の清掃を行わない場合に清掃具Ａのブラシ体２１を収納可能としている。
【００４５】
なお、ブラシ収納部１５は、圃場Ｆの湛水面Ｗ、すなわち圃場壁上面Ｆ１よりも高い位置に配設されており、収容したブラシ体２１が湛水に浸漬されて劣化することを防止可能としている。
【００４６】
また、暗渠パイプＰの下流側端部にはＴ字パイプ３１を連通接続しており、かかるＴ字パイプ３１の最下流側の端部開口を蓋体２２で水密状に閉塞し、Ｔ字パイプ３１の中途部で分岐するＴ字脚部パイプ３２の開口を暗渠パイプＰの吐水口Ｓ２としている。なお、蓋体２２やＴ字パイプ３１はそれぞれ本発明のは本発明の清掃具や水閘構造の構成要素であり、詳細については後述する。
【００４７】
このように構成した暗渠パイプＰは、起立部１３の取水口Ｓ１や水平部１１の導水孔１１ａから圃場内の水をパイプ内部へ取り入れ、吐水口Ｓ２から圃場Ｆ外の排水路Ｄへ排出することにより圃場水分の排水制御を行なう。
【００４８】
しかしながら、暗渠パイプＰの長年の使用により、水に混入した土砂やスライムなどの堆積物により導水孔１１ａの目詰まりや暗渠パイプＰ内部の閉塞を生起して暗渠パイプＰの排水機能を低下させ、圃場Ｆの水捌けを悪化させる問題がある。
【００４９】
このため、本発明にかかる暗渠パイプＰの清掃具により、手軽にパイプ清掃を行い暗渠パイプＰの良好な排水機能を保持可能とする。以下、本発明にかかる暗渠パイプＰの清掃具について詳細に説明する。
【００５０】
〔２．暗渠パイプの清掃具の構成〕
暗渠パイプＰに具備される暗渠パイプＰの清掃具Ａは、図１及び図３に示すように、可撓性のガイドワイヤ２０の中途に暗渠パイプ本体１０中を挿貫可能としたブラシ体２１を介在配設するとともに、ガイドワイヤ２０は暗渠パイプ本体１０の両端開口部である取水口Ｓ１と吐水口Ｓ２との間の暗渠パイプ本体１０内部から外部わたって無端状に架け廻して構成している。
【００５１】
すなわち、中途部にブラシ体２１を介在配設したガイドワイヤ２０は、暗渠パイプＰの吐水口Ｓ２近傍の暗渠パイプ本体１０下流側端部に設けた蓋体２２に掛け回すとともに、暗渠パイプＰの取水口Ｓ１近傍のブラシ収納部１５の外端部に設けたワイヤ回動装置２４に掛け回すことにより、暗渠パイプＰ内に無端状に架け廻している。
【００５２】
蓋体２２は、Ｔ字パイプ３１端部内に内嵌可能な有底筒であって、図４に示すように蓋部２２ａと筒部２２ｂとよりなり、筒部２２ｂの胴部内壁に円柱状の受動ローラ２３を回転可能に軸架してガイドワイヤ２０を掛け回し可能に構成している。
【００５３】
ワイヤ回動装置２４は、ブラシ収納部１５の上流端部に固定される軸受蓋体２５と、軸受蓋体２５上で操作用ハンドル２６ａにより回転可能に軸支された操作ローラ２６と、操作ローラ２６との間でガイドワイヤ２０を挟持可能に操作ローラ２６に平行に近接配置され軸受蓋体２５上で回転可能に軸支された挟圧ローラ２７とで構成している。
【００５４】
操作ローラ２６と挟圧ローラ２７とは、互いの軸方向を平行にしつつ互いのローラ面の間でガイドワイヤ２０の厚みよりやや狭くなるように近接して軸受蓋体２５の上面に配置固定している。
【００５５】
かかるワイヤ回動装置２４は、操作ローラ２６と挟圧ローラ２７との間でガイドワイヤ２０の帯面２０ａを互いのローラ面に面接触させるようにガイドワイヤ２０を挟持し、操作ローラ２６からの回転力をガイドワイヤ２０へ確実に伝達することを可能としている。
【００５６】
すなわち、ワイヤ回動装置２４において、ガイドワイヤ２０を操作ローラ２６と挟圧ローラ２７との間に狭圧しつつ操作ローラ２６に掛け回すことにより、操作ローラ２６による回転力をガイドワイヤ２０の引っ張り応力へ転換し、ガイドワイヤ２０がパイプ内外を巡りながらブラシ体２１が暗渠パイプＰ内を前後にスライドして摺動することを可能としている。
【００５７】
また、操作ローラ２６や挟圧ローラ２７は、ガイドワイヤ２０との摩擦抵抗を大とする高摩擦抵抗手段を備えている。
【００５８】
高摩擦抵抗手段としては、例えば、ローラ面に粗面加工を施したり、ローラ自体を樹脂などの弾性素材にて形成することが挙げられる。このような高摩擦抵抗手段により、ガイドワイヤ２０がローラ表面で不用意に滑動することなくローラ面に密着して回転応力をガイドワイヤ２０のパイプ内部におけるスライド応力に変換することを可能としている。
【００５９】
ブラシ体２１は、円柱形のブラシ本体２１ａ外周にブラシ毛２１ｂを植設して形成しており、ブラシ本体２１ａの軸方向両端でガイドワイヤ２０に連結している。なお、図中符号２１ｃ、２１ｃ’はブラシ本体２１ａの両端部に設けたガイドワイヤ取付部である。
【００６０】
なお、ブラシ毛２１ｂを螺旋状に植設した螺旋円柱状のブラシ体２１を採用すれば、螺旋溝に水が流入して同ブラシ体２１にかかる水圧を下げつつ暗渠パイプＰ内部を清掃することができる。
【００６１】
また、ブラシ本体２１ａを可撓性素材で形成すれば、ブラシ体２１が暗渠パイプＰの屈曲部１２を変形しながらスムーズに移動することができる。
【００６２】
また、ガイドワイヤ取付部２１ｃ、２１ｃ’をブラシ体２１の軸周りに回転可能に構成すれば、暗渠パイプＰ内でブラシ体２１が堆積物に接触して不用意に回転することに伴うガイドワイヤ２０のねじれ現象を防止可能とする。
【００６３】
ガイドワイヤ２０は、耐候性及び耐水性を備えた可撓性素材、例えばポリエチレン樹脂や塩化ビニル樹脂、シリコン樹脂などの樹脂素材で形成しており、暗渠パイプ本体１０内で無端状に張設された状態を保持するとともに暗渠パイプ本体１０内でスライドする際に伸縮を生起して堆積物に引っかかることなくスムーズに移動することを可能としている。
【００６４】
また、ガイドワイヤ２０は、一定幅の帯状体とし、上述の各種ローラに対してその帯面２０ａをローラ面と面対向するように掛け回し可能に構成している。なお、ガイドワイヤ２０の幅員は、一例として、10〜45mmとなるように形成している。
【００６５】
このような構成により、ガイドワイヤ２０のねじれ現象を可及的防止するとともに操作ローラ２６との接触面積を大きくしてガイドワイヤ２０と操作ローラ２６との間で効果的に摩擦力を生起し、ガイドワイヤ２０が操作ローラ２６から応力を得ることを可能としている。
【００６６】
なお、ガイドワイヤ２０の帯面２０ａに、摩擦抵抗を大とする粗面加工を施すこととすれば、操作ローラ２６のローラ面との間で摩擦力をさらに高めることができるのは勿論である。
【００６７】
また、ガイドワイヤ２０の帯面２０ａには、図５に示すように長手方向に沿って突条２０ｂ（本実施形態では、ガイドワイヤの左右側縁に沿って２つ）を形成しており、ガイドワイヤ２０の剛性を保持している。
【００６８】
なお、ガイドワイヤ２０の帯面２０ａに、暗渠パイプＰ内におけるブラシ体２１の位置が分かるように長手方向に沿って所定間隔を隔ててメモリなどの位置目印を付けるようにしてもよい。
【００６９】
〔３．清掃具の設置作業及び暗渠パイプの清掃作業〕
次に、上述のように構成した清掃具Ａの暗渠パイプＰへの設置作業について説明する。清掃具Ａにおいて、ガイドワイヤ２０は、図５及び図６（ａ）に示すようにワイヤロールＲとして螺旋巻回状にあり、同ワイヤロールＲから引き出しながら暗渠パイプＰ内に架け回し設置する。
【００７０】
このガイドワイヤ２０の架け回し作業をする際に、図５及び図６（ｂ）に示すように、螺旋状に巻き取ったワイヤロールＲを収容して引き出されるガイドワイヤ２０の解舒性を向上したワイヤ解舒リール４０を使用する。
【００７１】
ワイヤ解舒リール４０は、図５及び図６（ｂ）に示すように螺旋に巻き取ったワイヤロールＲを回転可能に収容するリール本体部４１と、リール本体部４１に収容したワイヤロールＲの外周に沿って摺動可能に設けた押圧プレート部４４と、で構成している。
【００７２】
リール本体部４１は、ワイヤロールＲを収容する方形状のリール受台４２と、同リール受台４２に軸支する枢軸４３ａを有し、ワイヤロールＲの左右側に装着してワイヤロールＲと一体的に回転する枢支軸体４３と、により構成している。
【００７３】
リール受台４２は、方形状平板状の底部４２ａと、底部４２ａの長手の左右縁から立設する左右壁部４２ｂ、４２ｂとで構成している。
【００７４】
リール受台４２の左右壁部４２ｂ、４２ｂの上縁中央には枢支軸体４３の枢軸４３ａを受ける枢支溝４２ｃを形成している。また、左右壁部４２ｂ、４２ｂの上縁前端には、ヒンジ４７を揺動方向をリール受台４２の長手方向とするように架設している。また、左右壁部４２ｂ、４２ｂの上縁後端には、平板状の弾性体受４８ａを架設しており、弾性体受４８ａの板面中央部にはゴムやバネなどの弾性体４８を設けている。
【００７５】
押圧プレート部４４は、ワイヤロールＲの上部外周に沿うように半円弧状又は中央で折曲自在とし、プレート面４５にてワイヤロールＲの上部外周面を押圧摺接し、ガイドワイヤ２０を引き出した際のワイヤの巻き癖に由来する“よれ”や“ねじれ”を解消可能に構成している。
【００７６】
具体的には、押圧プレート部４４は、図５及び図６（ｂ）に示すようにヒンジ４６を介して中央部で折曲自在に連結した前半部プレート４４ａと後半部プレート４４ｂとで構成している。
【００７７】
なお、押圧プレート部４４の前半部プレート４４ａや後半部プレート４４ｂの素材は、ガラスやアクリルなどの透明状素材を採用することによりワイヤ解舒リール４０に収容したワイヤロールＲのワイヤ残量を視認することができる。
【００７８】
また、押圧プレート部４４は、前半部プレート４４ａの前端をリール受台４２の左右壁部４２ｂ、４２ｂ’の上縁前端にヒンジ４７を介して固定するとともに、後半部プレート４４ｂの後端をリール受台４２の左右壁部４２ｂ、４２ｂ’の上縁後端に弾性体４８を介して連結している。
【００７９】
このような構成により、弾性体４８の収縮力により押圧プレート部４４を常時下方付勢して、押圧プレート部４４のプレート面４５がワイヤロールＲの上半部外周面に下方へ押圧摺接することを可能としている。
【００８０】
すなわち、ワイヤ解舒リール４０は、収容設置したワイヤロールＲからガイドワイヤ２０を引き出す際に、押圧プレート部４４の下方押圧力によりプレート面４５をワイヤの帯面２０ａに圧接させて、ワイヤロールＲの自由解舒を規制するとともにワイヤの巻き癖を平らに均しながらガイドワイヤ２０を引き出すことを可能としている。
【００８１】
次に、暗渠パイプＰ内へのガイドワイヤ２０の挿通作業は、剛性且つ弾力性を備えたグラスファイバー線を利用して以下（１）〜（６）のようにして行う。
（１）グラスファイバー線の先端にガイドワイヤ２０先端を、グラスファイバー線の中途にブラシ体を取り付ける。（暗渠パイプＰ内に堆積物がない場合にはブラシ体を要しない。）
（２）ガイドワイヤ２０とブラシ体を備えたグラスファイバー線を取水口Ｓ１近傍のブラシ収納部１５の上部開口から暗渠パイプＰ内へと挿入していく。（この挿入操作の際には暗渠パイプ内に水を流した状態とする。）この際、ガイドワイヤ２０は、ワイヤ解舒リール４０によりワイヤロールＲから解舒されながら引き出される。
（３）暗渠パイプＰ内に挿入されたグラスファイバー線が吐水口Ｓ２側へ進むに伴いガイドワイヤ２０が暗渠パイプＰ内に引き込まれ、その中途に取り付けたブラシ体が暗渠パイプＰ内の堆積物を吐水口Ｓ２側へと寄せていき最終的に吐水口Ｓ２から堆積物を排出させる。
（４）吐水口Ｓ２近傍のＴ字パイプ３１の最下流側の端部開口から出てきたグラスファイバー線先端のガイドワイヤ２０を暗渠パイプＰの下流側端部に設けた蓋体２２の受動ローラ２３に掛け回した後、再びグラスファイバー線先端にガイドワイヤ２０を取り付けて取水口Ｓ１側へ戻す。
（５）取水口Ｓ１近傍のブラシ収納部１５の上部開口から出てきたグラスファイバー線先端のガイドワイヤ２０を暗渠パイプＰの上流側外端部に設けたワイヤ回動装置２４の操作ローラ２６に掛け回す。
（６）架け廻した状態のガイドワイヤ２０両端にブラシ体２１を介在させてガイドワイヤ２０を無端状にする。
（７）蓋体２２にて、吐水口Ｓ２近傍のＴ字パイプ３１の最下流側の端部開口を水密状に閉塞するとともに取水口Ｓ１近傍のブラシ収納部１５の上部開口をワイヤ回動装置２４にて閉塞する。
【００８２】
このような設置手順により、中途部にブラシ体２１を介在した無端状のガイドワイヤ２０は、暗渠パイプ本体１０内において、図１及び図３に示すように取水口Ｓ１近傍のワイヤ回動装置２４と吐水口Ｓ２近傍の蓋体２２との間で、その進行方向を暗渠パイプ本体１０の筒軸方向にして往路用と復路用に２つ並走して張設される。
【００８３】
そして農作業者は、暗渠パイプ本体１０内部や導水孔１１ａに堆積物が詰まったと思われる時期に、ワイヤ回動装置２４によりガイドワイヤ２０を引張り操作して前後スライドし、ブラシ体２１を進行させて暗渠パイプ本体１０をブラッシング清掃することにより暗渠パイプＰのメンテナンス性を向上することができる。
【００８４】
具体的には、ワイヤ回動装置２４の操作用ハンドル２６ａを回してガイドワイヤ２０をスライドしてブラシ体２１をブラシ収納部１５から暗渠パイプ本体１０へ移動する。
【００８５】
次いで、操作用ハンドル２６ａの正回転・逆回転を交互に行いブラシ体２１の前後摺動を行う。この際、暗渠パイプ本体１０内で摺動するブラシ体２１のブラシ毛２１ｂが導水孔１１ａを閉塞する土砂やスライムなどの詰まり物を掻き出しつつ、ブラシ本体２１ａがブラシ毛２１ｂとともに水平部１１内部を閉塞する堆積物を絡めとり去る。
【００８６】
このようなブラシ体２１の前後摺動操作を暗渠パイプＰの上流側から下流側にかけて順次行なっていくことにより、暗渠パイプＰ内部の堆積物をブラシ体２１を介して吐水口Ｓ２まで寄せていき最終的に吐水口Ｓ２から堆積物を排出する。
【００８７】
すなわち、農作業者は、ワイヤ回動装置２４の操作用ハンドル２６ａの回転操作のみ、換言すればガイドワイヤ２０の引っ張り操作のみでガイドワイヤ２０の中途部に介在したブラシ体２１の摺動により暗渠パイプ本体１０内部を簡単に清掃でき、暗渠パイプＰの排水機能を正常に保つことができる。
【００８８】
〔５．水閘パイプの構成〕
次に、本実施形態にかかる水閘構造について詳細に説明する。水閘構造Ｌは、図１乃至図３、図７及び図８に示すように上述の清掃具Ａを備えた暗渠パイプＰの吐水口Ｓ２において、全方位変換自在の水閘パイプ３０により構成している。
【００８９】
水閘パイプ３０は、暗渠パイプＰに始端開口を回転ジョイント機構５０を介して回動自在に連通分岐したＴ字パイプ３１と、Ｔ字パイプ３１の中途部で分岐するＴ字脚部パイプ３２に始端開口を回転ジョイント機構５０を介して回動自在に連通したエルボパイプ３３と、エルボパイプ３３の終端開口に連通した長尺の立上げパイプ３４と、より構成している。
【００９０】
暗渠パイプＰの吐水口Ｓ２は、水閘パイプ３０の立上げパイプ３４終端開口としている。なお、立上げパイプ３４の長さは、水閘パイプ３０を起立姿勢とした際に吐水口Ｓ２の高さ位置が湛水面位置又は圃場側壁高さより高くなる長さにしている。
【００９１】
水閘パイプ３０は、図７に示すように暗渠パイプ本体１０の筒軸廻りに回転する第１の回転部としてのＴ字パイプ３１と、図８に示すように暗渠パイプ本体１０の筒軸方向を接線方向として回転する第２の回転部としてのエルボパイプ３３との２つの回転部を有する。
【００９２】
すなわち、水閘パイプ３０は、暗渠パイプ本体１０に対して基部のＴ字パイプ３１を中途部のエルボパイプ３３と一体的に回転することにより端部の立上げパイプ３４を暗渠パイプ本体１０の上下方向に起立倒伏揺動するとともに、基部のＴ字パイプ３１に対して中途部のエルボパイプ３３を回転することにより端部の立上げパイプ３４を暗渠パイプ本体１０の長手方向に起立倒伏揺動するように構成することにより、立上げパイプ３４先端の吐水口Ｓ２の開口方向を全方位変換自在とし、多種多様の方向変換形態を実現している。
【００９３】
このような水閘パイプ３０における各種パイプの回転を可能とする回転ジョイント機構５０は、図９及び図１０に示すように両パイプ端部において雌雄のはめ込み回転構造としている。
【００９４】
回転ジョイント機構５０は、一方のパイプ開口端部の内周に固定されて同パイプ端部から筒軸方向外方に突出し、外壁周りに雌側溝部５２を形成した筒状の接続パイプ５１と、雌側溝部５２に対応するように他方のパイプ開口端部の内周に固定されて内壁突部をなす雄側リング５３と、で構成している。
【００９５】
なお、本実施形態では、図９及び図１０に示すように回転ジョイント機構５０を介して互いに回転可能に接続するパイプのうち、接続パイプ５１が設けられる一方のパイプを下流側の基部パイプ（暗渠パイプ本体１０（水平部１１）又はＴ字パイプ３１）とし、これに対応する雄側リング５３が設けられる他方のパイプを端部パイプ（Ｔ字パイプ３１又はエルボパイプ３３）としている。
【００９６】
接続パイプ５１は、前半部５１ａを端部パイプ始端内に挿嵌する挿嵌部とし、後半部５１ｂを基部パイプ終端内に挿入して同パイプ内周壁に接着剤等で固定する固定部とし、前半部５１ａの外周廻りに雌側溝部５２を形成している。
【００９７】
なお、基部パイプや端部パイプ内に接続パイプ５１を挿嵌できない場合には、各種パイプと接続パイプ５１との間に継手ソケット５４を介在配設する。なお、図９中符号３３ａ、５４ａは、パイプ等を挿嵌連結した際に、挿嵌したパイプの筒軸方向内方への動きを規制する規制フランジである。
【００９８】
雄側リング５３は、端部パイプ始端の筒軸方向おいて端部パイプに接続パイプ５１を挿嵌した際の雌側溝部５２位置で端部パイプの内周に接着剤やネジ等で固定する。
【００９９】
具体的には、基部パイプ終端に後半部５１ｂを固定した接続パイプ５１において、その前半部５１ａの雌側溝部５２に予め雄側リング５３を遊嵌した状態としておき、同接続パイプ前半部５１ａを雄側リング５３ごと端部パイプ始端内に挿嵌した状態で端部パイプ内の始端開口内周に雄側リング５３を接着剤やネジ等で固定する。
【０１００】
このように回転ジョイント機構５０は、雄側リング５３は端部パイプと一体的に固定するとともに、雄側リング５３に対応する雌側溝部５２を有した接続パイプ５１は基部パイプと一体的に固定した雌雄のはめ込み回転構造として構成しており、端部パイプと基部パイプとを互いの筒軸（図７乃至図９中、一点鎖線で示す。）を同一軸心上に配置するように連結する。
【０１０１】
このような構成により、基部パイプを固定側として端部パイプを雄側リング５３を介して基部パイプの雌側溝部５２にガイドされて筒軸廻りに回転可能な自由側とし、筒軸方向に対しては雄側リング５３が雌側溝部５２の壁部に突き当たり軸方向への動きが規制されて互いのパイプが不用意に外れてしまうことを防止している。
【０１０２】
〔６．水閘パイプの方向変換形態〕
以下、上述のように構成した水閘パイプおける各種灌漑水位に合わせた方向変換形態を詳細に説明する。図１１〜図１３は、各種灌漑水位に合わせた水閘パイプの方向変換形態を示す模式説明図である。なお、各図において左側の図面は圃場の側断面視における水閘パイプの方向変換形態を示し、右側の図面は圃場の外壁正面視における水閘パイプの方向変換形態を示している。
【０１０３】
水閘パイプ３０の各種灌漑水位に合わせた方向変換形態は、基本的には以下のようにして行う。
【０１０４】
すなわち、農作業者は、図７に示すように固定側の暗渠パイプ本体１０に対して、自由側のＴ字パイプ３１とエルボパイプ３３と立上げパイプ３４とを一体的に揺動操作する。
【０１０５】
具体的には、暗渠パイプ本体１０に対して基部のＴ字パイプ３１を回動して同Ｔ字パイプ３１と中途部のエルボパイプ３３と一体的に、端部の立上げパイプ３４を倒伏起立させ、その先端の吐水口Ｓ２高さ位置を大きく変位する。
【０１０６】
次いで、農作業者は、図８に示すように固定側の暗渠パイプ本体１０とＴ字パイプ３１に対して、自由側のエルボパイプ３３と立上げパイプ３４とを一体的に揺動操作する。
【０１０７】
具体的には、基部のＴ字パイプ３１のＴ字脚部パイプ３２に対して中途部のエルボパイプ３３を回動して同エルボパイプ３３と一体的に、端部の立上げパイプ３４を倒伏起立させ、吐水口Ｓ２高さ位置を微調整する。
【０１０８】
例えば、圃場内の土壌面より上方に水を張って一定の水位に保持する湛水水位Ｗ１とする場合には、図１１に示すように、水閘パイプ３０を起立姿勢形態とする。
【０１０９】
具体的には、農作業者は、吐水口Ｓ２の高さ位置を湛水水位Ｗ１よりも高くなるように吐水口Ｓ２を上方に向けて立上げパイプ３４を回動起立させることで水閘パイプ３０を起立姿勢形態とし、暗渠パイプＰを止水状態にして圃場内の湛水水位Ｗ１を保持した湛水灌漑状態にすることができる。
【０１１０】
また、圃場内の土壌中で一定の水位に保持する地下水位Ｗ２とする場合には、図１２に示すように、水閘パイプ３０を傾斜姿勢形態とする。
【０１１１】
具体的には、農作業者は、圃場地上面Ｆ２の高さ位置よりも吐水口Ｓ２の高さ位置が低くなるように吐水口Ｓ２を斜め上方に向けて立上げパイプ３４を傾斜させることで水閘パイプ３０を傾斜姿勢形態とし、暗渠パイプＰを止水状態及び排水状態にして圃場内の地下水位Ｗ２を保持した地下灌漑状態にすることができる。
【０１１２】
換言すれば、水閘パイプ３０を傾斜姿勢形態とした場合には、水閘パイプ３０は、圃場に過剰に供給された過剰水を吐水口Ｓ２から自動排水する。
【０１１３】
より具体的には、水閘パイプ３０の傾斜姿勢形態において吐水口Ｓ２の高さ位置が圃場地上面Ｆ２の高さ位置と圃場壁上面Ｆ１の高さ位置との間にある場合には、かかる吐水口Ｓ２の高さ位置が所望とする湛水水位Ｗ１となり、湛水水位Ｗ１以上となる圃場内の過剰水は「サイフォンの原理」により吐水口Ｓ２から自動的に排水される。
【０１１４】
また、水閘パイプ３０の傾斜姿勢形態において吐水口Ｓ２の高さ位置が圃場地上面Ｆ２の高さ位置と暗渠パイプ本体１０の水平部１１の高さ位置との間にある場合には、かかる吐水口Ｓ２の高さ位置が所望とする地下水位Ｗ２となり、地下水位Ｗ２以上となる圃場内の過剰水は「サイフォンの原理」により吐水口Ｓ２から自動的に排水される。
【０１１５】
すなわち、農作業者は圃場壁上面Ｆ１や圃場地上面Ｆ２、圃場外で露出する暗渠パイプ本体１０（水平部１１）の最下流側端部と、吐水口Ｓ２との高さ位置の関係を「目視で確認」しながら水閘パイプ３０を傾斜姿勢形態にするだけで、所望とする湛水水位Ｗ１や地下水位Ｗ２に簡単に調節することができ、余分な水を「サイフォンの原理」により吐水口Ｓ２から常時自動的に排水して湛水水位Ｗ１や地下水位Ｗ２を保持することができ、圃場を湛水灌漑状態や地下灌漑状態にすることができる。
【０１１６】
次に、圃場内の水を抜いて中干状態や落水状態にする排水水位とする場合には、図１３に示すように、水閘パイプ３０を倒伏姿勢形態とする。
【０１１７】
すなわち、農作業者は、暗渠パイプ本体１０の水平部１１の高さ位置よりも低い位置となるように吐水口Ｓ２を下方の排水路に向けて立上げパイプ３４を倒伏させることで水閘パイプ３０を倒伏姿勢形態とし、圃場内から暗渠パイプ本体１０の水平部１１の高さ位置以上にある圃場内の水の排水を行い、圃場の中干しや落水状態を実現する。
【０１１８】
このように本実施形態に係る水閘パイプ３０によれば、各種方向変換形態を行うことで迅速かつ簡単に農作物の生育段階に合わせた各種灌漑水位への微妙な調節作業を行うことができ、排水量を制御して所望の減水深さを確保でき、水管理作業を簡易化することができる。
【０１１９】
すなわち、暗渠パイプ端部に連通連結した水閘パイプ３０は、水閘パイプ３０を構成する各種パイプの連結部に設けた回転ジョイント機構を介して全方位変換自在にしたことにより、吐水口Ｓ２方向を変位自在とし、吐水口高さ位置を「目視で確認」しながら水閘パイプ３０の方向変換形態を変えて所望の灌漑水位まで水で充満させたり、中干しや落水状態を実現することができる。
【０１２０】
しかも、吐水口Ｓ２が設けれる圃場壁や圃場外に設けられる排水路Ｄは狭く細い場合が多く、こうした限られたスペースであっても、簡素な構造であるため設置を容易とし、吐水口Ｓ２の方向変換を多種多様な水閘パイプ３０の形態変形により行い、圃場の水管理を行うことができる。
【０１２１】
また、暗渠パイプＰの使用機会を可及的に増やして水管理時に堆積物を定期的に排出することで暗渠パイプＰ内を清潔に保ち、堆積物が比較的多くなる時期や暗渠パイプの排水機能の低下が見られた場合には上述の清掃具にて手軽に清掃を行うことができる。
【０１２２】
以上説明してきたように、本発明にかかる清掃具や水閘構造は、暗渠パイプについて、多種多様な機能を備えるにもかかわらず簡素なユニット構造として後付け可能に構成しているため、農作業者にとって費用が低減且つ設置が簡単である。なお当初から、暗渠パイプに設置できることは勿論である。
【０１２３】
すなわち、既に埋設されて無用の長物と化した暗渠パイプの内部清掃を可能とし、しかも、灌漑水位の微妙な調節作業を簡便な操作で可能とする水閘構造を工夫して簡単且つ低コストで暗渠パイプを有効に使用することができる。
【０１２４】
特に、本発明にかかる暗渠パイプの清掃具は、灌漑水位調整のために暗渠パイプを有効に使うための必須の技術であり、圃場の水捌けを常時正常に保ち、将来の農作物育成を大きく転換するターニングポイントともなる画期的技術である。
【符号の説明】
【０１２５】
Ｐ  暗渠パイプ
１０  暗渠パイプ本体
Ｓ１  取水口
Ｓ２  吐水口
Ａ  暗渠パイプの清掃具
２０  ガイドワイヤ
２１  ブラシ体
２２  蓋体
２４  ワイヤ回動装置
Ｌ  暗渠パイプの水閘構造
３０  水閘パイプ
３１  Ｔ字パイプ
３３  エルボパイプ
３４  立上げパイプ
【図１】
2019198814.tif 000003
【図２】
2019198814.tif 000004
【図３】
2019198814.tif 000005
【図４】
2019198814.tif 000006
【図５】
2019198814.tif 000007
【図６】
2019198814.tif 000008
【図７】
2019198814.tif 000009
【図８】
2019198814.tif 000010
【図９】
2019198814.tif 000011
【図１０】
2019198814.tif 000012
【図１１】
2019198814.tif 000013
【図１２】
2019198814.tif 000014
【図１３】
2019198814.tif 000015
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
可撓性のガイドワイヤの中途に暗渠パイプ本体中を挿貫可能としたブラシ体を介在配設するとともに、先端をグラスファイバー線の先端に取り付けたガイドワイヤをワイヤ解舒リールに収納した巻回状のワイヤロールから引き出しながら暗渠パイプ本体の両端開口部である取水口と吐水口との間の暗渠パイプ本体内部から外部わたって挿通可能に構成し、
ガイドワイヤが暗渠パイプ内に引き込まれるに伴い、その中途のブラシ体が暗渠パイプ内の堆積物を吐水口側へと寄せていき最終的に吐水口から堆積物を排出させるように構成し、
しかも、ワイヤ解舒リールは、
ワイヤロールを回転可能に収容し、後端側でワイヤロールからガイドワイヤを引き出し可能に構成したリール本体部と、
前端をリール本体部の前方上縁にヒンジを介して固定すると共に後端をリール本体部の後方上縁に弾性体を介して連結する押圧プレート部と、で構成し、
押圧プレート部は、ワイヤロールの外周上側面に沿うように半円弧状又は中央で折曲自在としてプレート面にてワイヤロールの外周上側面を押圧摺接することによりガイドワイヤを引き出した際のワイヤの巻き癖に由来するよれやねじれを解消可能に構成したことを特徴とする暗渠パイプの清掃具。
【請求項２】
請求項１に記載の清掃具を備えた暗渠パイプの前記吐水口において、全方位変換自在の水閘パイプによる水閘構造を構成し、
前記水閘パイプは、前記暗渠パイプに始端開口を回転ジョイント機構を介して回動自在に連通分岐したＴ字パイプと、前記Ｔ字パイプの中途部で分岐するＴ字脚部パイプに始端開口を回転ジョイント機構を介して回動自在に連通したエルボパイプと、前記エルボパイプの終端開口に連通した立上げパイプと、より構成したことを特徴とする暗渠パイプの水閘構造。
【請求項３】
前記回転ジョイント機構は、両パイプ端部において雌雄のはめ込み回転構造としたことを特徴とする請求項２に記載の暗渠パイプの水閘構造。
【手続補正２】
【補正対象書類名】明細書
【補正対象項目名】００１８
【補正方法】変更
【補正の内容】
【００１８】
上記従来の課題を解決するために、本発明に係る暗渠パイプの清掃具は、可撓性のガイドワイヤの中途に暗渠パイプ本体中を挿貫可能としたブラシ体を介在配設するとともに、先端をグラスファイバー線の先端に取り付けたガイドワイヤをワイヤ解舒リールに収納した巻回状のワイヤロールから引き出しながら暗渠パイプ本体の両端開口部である取水口と吐水口との間の暗渠パイプ本体内部から外部わたって挿通可能に構成し、ガイドワイヤが暗渠パイプ内に引き込まれるに伴い、その中途のブラシ体が暗渠パイプ内の堆積物を吐水口側へと寄せていき最終的に吐水口から堆積物を排出させるように構成し、しかも、ワイヤ解舒リールは、ワイヤロールを回転可能に収容し、後端側でワイヤロールからガイドワイヤを引き出し可能に構成したリール本体部と、前端をリール本体部の前方上縁にヒンジを介して固定すると共に後端をリール本体部の後方上縁に弾性体を介して連結する押圧プレート部と、で構成し、押圧プレート部は、ワイヤロールの外周上側面に沿うように半円弧状又は中央で折曲自在としてプレート面にてワイヤロールの外周上側面を押圧摺接することによりガイドワイヤを引き出した際のワイヤの巻き癖に由来するよれやねじれを解消可能に構成したことに特徴を有する。
【手続補正３】
【補正対象書類名】明細書
【補正対象項目名】００２１
【補正方法】変更
【補正の内容】
【００２１】
請求項１に係る発明によれば、可撓性のガイドワイヤの中途に暗渠パイプ本体中を挿貫可能としたブラシ体を介在配設するとともに、先端をグラスファイバー線の先端に取り付けたガイドワイヤをワイヤ解舒リールに収納した巻回状のワイヤロールから引き出しながら暗渠パイプ本体の両端開口部である取水口と吐水口との間の暗渠パイプ本体内部から外部わたって挿通可能に構成し、ガイドワイヤが暗渠パイプ内に引き込まれるに伴い、その中途のブラシ体が暗渠パイプ内の堆積物を吐水口側へと寄せていき最終的に吐水口から堆積物を排出させるように構成し、しかも、ワイヤ解舒リールは、ワイヤロールを回転可能に収容し、後端側でワイヤロールからガイドワイヤを引き出し可能に構成したリール本体部と、前端をリール本体部の前方上縁にヒンジを介して固定すると共に後端をリール本体部の後方上縁に弾性体を介して連結する押圧プレート部と、で構成し、押圧プレート部は、ワイヤロールの外周上側面に沿うように半円弧状又は中央で折曲自在としてプレート面にてワイヤロールの外周上側面を押圧摺接することによりガイドワイヤを引き出した際のワイヤの巻き癖に由来するよれやねじれを解消可能に構成したことにより、暗渠パイプ本体内部に土砂やスライムなどの堆積物が詰まったと思われる時期にガイドワイヤを引張り操作して中途に介在したブラシ体を暗渠パイプ本体中で摺動させて内部を清掃し吐水口から堆積物を排出し、暗渠パイプ本体内部の水流を正常に行うようにすることができ、農作業者が必要を察知した時期にいつでもガイドワイヤの引張り操作を行うことにより簡便に暗渠パイプ本体内部の清掃を可能とし、暗渠パイプ本体の詰まりで生起する農作業の各種トラブルを解消できる効果がある。